(57)【要約】【課題】太陽光パネルの導入時に太陽光パネルの活用度が容易に検討できる太陽光パネル設置用測定装置を提供する。【解決手段】太陽光パネル設置用測定装置１は、装置本体２に方角を示す方位磁石３を備えている。この記装置本体２には、太陽光パネルの設置される屋根に向き合って、屋根の棟または軒先と平行に合わせるための基準直線２２と、方位磁石３の周囲に設けられ、太陽光パネルに対する推奨される太陽光の角度範囲を示す目印２３とが設けられている。測定するときには、基準直線２２を棟または軒先に合わせ、目印２３によって囲まれた方位磁石３の範囲を観察する。方位磁石３には、最適範囲３１１と、良好範囲３１２と、要検討範囲３１３とが色分けされているので、簡単に太陽光パネルを設置したときの活用度を知ることができる。【選択図】図１
0003165348.tif 000002
【実用新案登録請求の範囲】
【請求項１】
方角を示す方位磁石と、前記方位磁石が設けられた装置本体とを備え、
前記装置本体には、太陽光パネルの設置される屋根に向き合って、屋根の棟または軒先と平行に合わせるための基準直線と、前記方位磁石の周囲に設けられ、太陽光パネルに対する推奨される太陽光の角度範囲を示す目印とが設けられていることを特徴とする太陽光パネル設置用測定装置。
【請求項２】
前記方位磁石は円盤状に形成され、
前記方位磁石には、方角に応じて得られる太陽光パネルの出力が表示されている請求項１記載の太陽光パネル設置用測定装置。
【請求項３】
前記方位磁石には、方角に応じて得られる太陽光パネルの出力の範囲が色分けして表示されている請求項２記載の太陽光パネル設置用測定装置。
【請求項４】
前記装置本体には、出力の範囲に基づく色分けに対応させた説明文が表示されている請求項３記載の太陽光パネル設置用測定装置。
【考案の詳細な説明】
【技術分野】
【０００１】
本考案は、屋根への太陽光パネルの設置を検討するときに使用される太陽光パネル設置用測定装置に関するものである。
【背景技術】
【０００２】
太陽光パネルは、鉱物資源を必要とせずに、太陽光を受けて発電することから、公共施設、工場、一般家庭などで普及が益々広がっていくものと思われる。太陽光パネルは太陽光を垂直に受けるのが最も良好に発電できる状態であるため、例えば、特許文献１に記載の携帯電話では、太陽光センサが検出した受光量が最大となるときの本体部の方位を導出して、カバーを脚部として本体部の一端部が持ち上げられた状態で、バイブレータの振動により、本体部の向きを上記導出された方位に設定するようにしている。
【０００３】
また、特許文献２では、太陽光を受光して発電する太陽電池パネルを、太陽光と垂直に交差する方向へ回動させて太陽光を追尾する追尾駆動部を備えた追尾駆動型太陽光発電装置が記載されている。
【先行技術文献】
【特許文献】
【０００４】
【特許文献１】特開２００６−３３６２３号公報
【特許文献２】特開２００７−１９３３１号公報
【考案の概要】
【考案が解決しようとする課題】
【０００５】
太陽光パネルを太陽に対して自動追尾させることができれば理想的ではあるが、屋根の傾斜面上に配置される太陽光パネルでは、太陽光パネルの受光面を太陽に向けて旋回させることは、大型の太陽光パネルになればなる程、大型の装置が必要となるため困難である。特に、一般家庭では、自宅の屋根の傾斜面が南向きとなっていない場合には、コスト面で難しい。従って、導入を検討している住居者は、屋根の向きが東寄りであったり、西寄りであったりすると、どの程度、太陽光パネルが活用できるのか心配である。
【０００６】
そこで本考案は、太陽光パネルの導入時に太陽光パネルの活用度が容易に検討できる太陽光パネル設置用測定装置を提供することを目的とする。
【課題を解決するための手段】
【０００７】
本考案の太陽光パネル設置用測定装置は、方角を示す方位磁石と、前記方位磁石が設けられた装置本体とを備え、前記装置本体には、太陽光パネルの設置される屋根に向き合って、屋根の棟または軒先と平行に合わせるための基準直線と、前記方位磁石の周囲に設けられ、太陽光パネルに対する推奨される太陽光の角度範囲を示す目印とが設けられていることを特徴とする。
【０００８】
本考案によれば、装置本体に設けられた基準直線を屋根の棟または軒先と平行に合わせると、方位磁石の周囲に設けられた目印により、太陽光パネルに対する推奨される太陽光の角度範囲がわかる。従って、その範囲内に南が含まれていれば太陽光パネルから高い出力が期待でき、北が含まれていれば太陽光パネルを設置しても活用度が低い可能性があることを認識することができる。ここで、所定出力とは、太陽光パネルが発電する電力が、太陽光パネルを設置しても有効であると判断できる閾値を示す。この閾値は、太陽光パネルが南向きに設置されていれば出力が１００％となる範囲とすることができる。また、太陽光パネルが太陽光を受けていれば少しでも発電するので、日の出から日没までを範囲とすることができる。夏と冬との範囲を分けた目印としてもよい。
【０００９】
前記方位磁石は円盤状に形成され、前記方位磁石には、方角に応じて得られる太陽光パネルの出力が表示されているのが望ましい。円盤状に形成された方位磁石に方角に応じて得られる太陽光パネルの出力が表示されていると、目印の範囲でどの程度太陽光パネルの出力が得られるか容易に判別することができる。
【００１０】
前記方位磁石には、方角に応じて得られる太陽光パネルの出力の範囲が色分けして表示されているのが望ましい。方角に応じて得られる太陽光パネルの出力の範囲が色分けしてあると、一目で太陽光パネルの出力範囲が視認でき、設置の可否の判別が更に容易となる。
【００１１】
前記装置本体には、出力の範囲に基づく色分けに対応させた説明文が表示されているのが望ましい。装置本体に説明文が表示されていると、別途説明書を取り出す必要がなく、簡便に設置の可否を測定することができる。
【考案の効果】
【００１２】
本考案によれば、基準直線を屋根の棟または軒下に合わせるだけで、方位磁石の周囲に設けられた目印により、太陽光パネルから所定出力が得られる範囲を知ることができるので、太陽光パネルの導入時に太陽光パネルの活用度が容易に検討できる。
【図面の簡単な説明】
【００１３】
【図１】本考案の実施の形態に係る太陽光パネル設置用測定装置の正面図である。
【図２】図１に示す太陽光パネル設置用測定装置の底面図である。
【図３】図１に示す太陽光パネル設置用測定装置の使用状態を説明するための図である。
【図４】図１に示す太陽光パネル設置用測定装置の測定例を示す図である。
【考案を実施するための形態】
【００１４】
本考案の実施の形態に係る太陽光パネル設置用測定装置を図面に基づいて説明する。
本実施の形態に係る太陽光パネル設置用測定装置は、太陽光パネルを導入するに当たって、良好な発電ができるか否かの一定の目安を測定するものである。
図１および図２に示すように、太陽光パネル設置用測定装置１は、略矩形状の装置本体２と、装置本体２の左側に内蔵された方位磁石３と、装置本体２の角部に設けられた貫通孔２１に設けられたストラップ４とを備えている。
【００１５】
装置本体２は、長辺２ａが約１０ｃｍ、短辺２ｂが約４．５ｃｍ、厚みが約３ｍｍの透明のアクリル板により形成されている。方位磁石３が配置される端部は、方位磁石３を内蔵する分、板厚が厚く、約１２ｍｍに形成されている。装置本体２には、印刷により約３ｃｍの基準直線２２が設けられている。この基準直線２２は、装置本体２の長辺２ａと平行に設けられている。
【００１６】
また、装置本体２の方位磁石３の周縁に沿って目印２３が設けられている。本実施の形態では、目印２３として、右端を設定する丸印２３ａと左端を設定する丸印２３ｂとが、印刷により設けられている。この目印２３は、基準直線２２を屋根の棟または軒先と平行に合わせたときに、太陽光パネルに対する推奨される太陽光の角度範囲を示す範囲となるように配置されている。すなわち、この２点の丸印２３ａ，２３ｂを結ぶ仮想円弧（図１においては点線で示す。）が、太陽光パネルに対する推奨される太陽光の角度範囲を示す範囲となる。従って、この目印２３によって示される範囲の中心を通る半径方向（図１では一点鎖線で示す。）は基準直線２２と直交する方向と平行となる。
なお、本実施の形態では丸印２３ａ，２３ｂとしたが、範囲を決める両端が識別できればよいので、四角印としたり、円弧線としたりすることができる。
【００１７】
また、装置本体２の中央部には、方位磁石３の表示に合わせて、印刷により説明文２４が設けられている。説明文２４としては、赤色により「□ピッタリです！」と表示された最適範囲説明文２４１と、緑色により「□かなりいい感じ！」と表示された良好範囲説明文２４２と、青色により「□詳細調査」と表示された要検討範囲説明文２４３とが設けられている。
更に、装置本体２の右端部には、小さい文字を大きくして読みやすくすることができる矩形状の拡大鏡２５が設けられている。
【００１８】
方位磁石３は、円盤状に形成されている。方位磁石３のおもて面には、北を示す「Ｎ」と、南を示す「Ｓ」と、東を示す「Ｅ」と、西を示す「Ｗ」とが、方位磁石３が向く方角に合わせて設けられている。また、方位磁石３のおもて面には、南を示す「Ｓ」が円弧の中央に位置するように、中心角が約９０°の扇形状の範囲が最適範囲３１１として赤色に表示されていると共に、太陽光パネル（図示せず）の出力を示す「１００％」の文字が表示されている。
【００１９】
また、方位磁石３のおもて面には、東を示す「Ｅ」と西を示す「Ｗ」とを結ぶ直径により仕切られた南側の半円から最適範囲３１１を除いた中心角が約４５°の２つの扇形状の範囲が良好範囲３１２として緑色に表示されていると共に、太陽光パネルの出力を示す「８５％」の文字が表示されている。
【００２０】
最適範囲３１１と良好範囲３１２を除く、「Ｅ」と「Ｗ」とを結ぶ直径により仕切られた北側の中心角１８０°の扇形状の範囲（半円）は、要検討範囲３１４として青色に表示されていると共に、太陽光パネルの出力を示す「６６％」の文字が表示されている。
この最適範囲３１１と良好範囲３１２と要検討範囲３１３のそれぞれの範囲は、太陽光パネルの種類・性能によって適宜中心角が決定される。
【００２１】
なお、本実施の形態では、円盤状の方位磁石３のおもて面を、最適範囲３１１と、良好範囲３１２と、要検討範囲３１３との３つに分割されているが、必要に応じて４分割以上としてもよい。しかし、太陽光パネルの設置に関し、簡単に診断できればよいので、３分割とするのが望ましい。
【００２２】
ストラップ４は、測定中の太陽光パネル設置用測定装置１の落下を防止するために、測定者の首から太陽光パネル設置用測定装置１を吊り下げたり、手首に巻き付けたりするためのものである。
【００２３】
以上のように構成された本考案の実施の形態に係る太陽光パネル設置用測定装置１の使用状態を図面に基づいて説明する。
まず、図３に示すように、太陽光パネル設置用測定装置１を水平に持ち、基準直線２２を屋根Ｒの棟Ｒ１または軒先Ｒ２と平行に合わせる。そして、目印２３である丸印２３ａ，２３ｂの範囲に含まれる方位磁石３の範囲を観察する。
【００２４】
太陽光パネルを設置したときの太陽光パネルの傾斜方向と直交する棟または軒先に、基準直線２２を合わせることで、基準直線２２と直交する方向と、太陽光パネルに対する推奨される太陽光の角度範囲を示す目印２３によって示される範囲の中心とを一致させることができる。従って、太陽光パネルに対する推奨される太陽光の角度範囲と、目印２３によって示される範囲とを一致させることができる。
【００２５】
図４に示す例では、屋根Ｒが南南東を向いているため、丸印２３ａ，２３ｂに含まれる範囲は、方位磁石３に表示された南を示す「Ｓ」を含み、大部分が約１００％の出力が得られる最適範囲３１１を含んでいるが、一部が出力８５％となる良好範囲３１２を含んでいる。つまり、午前中に太陽光パネルの出力が約１００％には満たない時間帯があることを示している。従って、全体として太陽光パネルの出力として、目分量から約９５％程度が得られることがわかる。太陽光パネル設置用測定装置１によって厳密な測定を行う訳ではなく、居住者が太陽光パネルの設置を検討するに当たって、大まかな出力がわかればよいので、太陽光パネルを設置したときの出力が感覚的につかめれば十分である。
【００２６】
この結果では、概ね１００％の出力が得られ、全体としても、一日中、高い出力が得られるため、太陽光パネルを有効に活用することができるので、測定者は安心して太陽光パネルの導入を決めることができる。
【００２７】
また、図１に示す例では、丸印２３ａ，２３ｂに含まれる範囲は、南を含み、赤色で示される最適範囲３１１とほぼ一致していることわかる。つまり、屋根Ｒに太陽光パネルを設置した場合には、太陽光パネルの出力は一日中晴天であれば約１００％が得られることがわかる。従って、太陽光パネルの導入を検討している者は、安心して導入を決めることができる。
【００２８】
本実施の形態では、目印２３による範囲として方位磁石３に表示された南を含む場合を一例として説明したが、北が含まれる場合も、同様に測定でき、太陽光パネルの導入を検討することができる。
【００２９】
このように、目印２３により囲まれた範囲に南が含まれていれば、太陽光パネルから高い出力が期待できることがわかる。また、例えば、目印２３により囲まれた範囲に、北が含まれていれば太陽光パネルを設置しても活用度が低いので専門家による相談が必要であることを認識することができる。
【００３０】
本実施の形態では、円盤状に形成された方位磁石３に方角に応じて得られる太陽光パネルの出力が表示されているので、目印２３の範囲でどの程度太陽光パネルの出力が得られるか容易に判別することができる。
【００３１】
更に、方角に応じて得られる太陽光パネルの出力の範囲が、最適範囲３１１である赤色、良好範囲３１２である緑色、要検討範囲３１３である青色に色分けしてあるので、一目で太陽光パネルの出力範囲が視認でき、設置の可否の判別を更に容易とすることができる。
【００３２】
測定者は、方位磁石３の最適範囲３１１が赤色で示されていることから、説明文２４の赤色で表示された最適範囲説明文２４１を参照することで、最もよい範囲であることを認識することができる。また、丸印２３ａ，２３ｂに囲まれた範囲の一部が含まれる良好範囲３１２が緑色で示されていることから、説明文２４の緑色で表示された良好範囲説明文２４２を参照することで、最適範囲３１１には少し劣るが適当な出力が得られる範囲であることを認識することができる。
【００３３】
このように、装置本体２に、出力の範囲に基づく色分けに対応させた説明文２４が表示されているので、別途説明書を取り出す必要がなく、簡便に設置の可否を測定することができる。
【００３４】
なお、本実施の形態では、太陽光パネルを設置する屋根として、図３に示すように切り妻を例に説明したが、寄棟、入母屋、片流れ、方形、陸屋根、鋸屋根、バタフライ、マンサード、かまぼこ屋根などでも、適用することができる。
【産業上の利用可能性】
【００３５】
本考案の陽光パネル設置用測定装置は、太陽光パネルの設置を検討する際に好適に用いることができる。
【符号の説明】
【００３６】
１  太陽光パネル設置用測定装置
２  装置本体
２ａ  長辺
２ｂ  短辺
２１  貫通孔
２２  基準直線
２３  目印
２３ａ，２３ｂ  丸印
２４  説明文
２４１  最適範囲説明文
２４２  良好範囲説明文
２４３  要検討範囲説明文
２５  拡大鏡
３  方位磁石
３１１  最適範囲
３１２  良好範囲
３１３  要検討範囲
４  ストラップ
【図１】
0003165348.tif 000003
【図２】
0003165348.tif 000004
【図３】
0003165348.tif 000005
【図４】
0003165348.tif 000006